Podtech/llm-jp-corpus-v4-ja_patent huggingface dataset:
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
少なくとも１つのポリマー樹脂及び気泡を含む充填樹脂複合物であって、前記気泡の平均サイズＤ５０が２５マイクロメートル以下であり、前記気泡の１０％崩壊強度が少なくとも６８．８ＭＰａ（１０，０００ＰＳＩ）である充填樹脂複合物。
【請求項２】
前記気泡の平均サイズＤ５０が約２０ミクロン以下である、請求項１に記載の複合物。
【請求項３】
前記気泡の平均Ｄ９０サイズが約５０ミクロン以下である、請求項１に記載の複合物。
【請求項４】
前記気泡の平均Ｄ５０サイズが約２５マイクロメートル以下であり、平均Ｄ９０サイズが約５０マイクロメートル以下である、請求項１に記載の複合物。
【請求項５】
前記複合物中の７５％を超える気泡の平均Ｄ５０サイズが約２０マイクロメートル以下であり、平均Ｄ９０サイズが約４０マイクロメートル以下である、請求項１に記載の複合物。
【請求項６】
請求項１に記載の複合物を含む物品。
【手続補正２】
【補正対象書類名】明細書
【補正対象項目名】００５９
【補正方法】変更
【補正の内容】
【００５９】
本発明の範囲及び精神から逸脱することない、本発明の様々な修正及び変更が、当業者には明らかであろう。
以下に、本願発明に関連する発明の実施形態を列挙する。
実施形態１
少なくとも１つのポリマー樹脂及び気泡を含む充填樹脂複合物であって、前記気泡の平均サイズＤ５０が２５マイクロメートル以下であり、前記気泡の１０％崩壊強度が少なくとも６８．８ＭＰａ（１０，０００ＰＳＩ）である充填樹脂複合物。
実施形態２
前記気泡の１０％崩壊強度が少なくとも１０３ＭＰａ（１５，０００ＰＳＩ）である、実施形態１に記載の複合物。
実施形態３
前記気泡の１０％崩壊強度が少なくとも１２４ＭＰａ（１８，０００ＰＳＩ）である、実施形態１に記載の複合物。
実施形態４
前記気泡の平均サイズＤ５０が約２０ミクロン以下である、実施形態１に記載の複合物。
実施形態５
前記気泡の平均Ｄ９０サイズが約５０ミクロン以下である、実施形態１に記載の複合物。
実施形態６
前記気泡の平均Ｄ９０サイズが約４０ミクロン以下である、実施形態１に記載の複合物。
実施形態７
前記気泡の平均Ｄ５０サイズが約２５マイクロメートル以下であり、平均Ｄ９０サイズが約５０マイクロメートル以下である、実施形態１に記載の複合物。
実施形態８
前記気泡の平均Ｄ５０サイズが約２０マイクロメートル以下であり、平均Ｄ９０サイズが約４０マイクロメートル以下である、実施形態１に記載の複合物。
実施形態９
前記複合物中の大多数の気泡の平均Ｄ５０サイズが約２０マイクロメートル以下であり、平均Ｄ９０サイズが約４０マイクロメートル以下である、実施形態１に記載の複合物。
実施形態１０
前記複合物中の７５％を超える気泡の平均Ｄ５０サイズが約２０マイクロメートル以下であり、平均Ｄ９０サイズが約４０マイクロメートル以下である、実施形態１に記載の複合物。
実施形態１１
前記ポリマー樹脂が熱硬化性樹脂及び熱可塑性樹脂から成る群から選択される、実施形態１に記載の複合物。
実施形態１２
前記気泡が、ガラス気泡及びセラミック気泡から成る群から選択される、実施形態１に記載の複合物。
実施形態１３
実施形態１に記載の複合物を含む物品。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
摺動リングシールに使用可能な摺動リングおよび／またはカウンターリング（１）を製造するための方法であって、熱伝導性の高いねずみ鋳鉄材料から鋳造技術により摺動リングおよび／またはカウンターリング（１）を作製し、少なくとも後でシールになる領域（４）を機械的に加工し、最後に前記それぞれのシール領域（４）の表面にレーザ硬化を施すことによる方法。
【請求項２】
摺動リングおよび／またはカウンターリング（１）が、下記の組成（単位は質量％）を有する、すなわち、
Ｃ      ３．４〜３．９％
Ｓｉ    ２．２〜３．２％
Ｍｎ    ０．５〜１．０％
Ｃｒ    ０．１〜０．４％
Ｖ      最大０．１５％
Ｃｕ    ０．１〜０．７％
Ｐ      ０．３〜０．６％
Ｓ      最大０．１３％
Ｆｅ    残分、および混入不可避の不純物
を組成とする、非合金で、焼き入れされておらず、層状グラファイトを含む鋳鉄から鋳造技術によって作製されることを特徴とする、請求項１に記載の方法。
【請求項３】
熱伝導性の高いねずみ鋳鉄材料からなり、その断面がほぼ角張った形で、実質上径方向平面内を延びるシール領域（４）を有する本体（１）を含み、少なくとも前記シール領域（４）がレーザ硬化された表面を具備する、摺動リングシール用の摺動リングおよび／またはカウンターリング。
【請求項４】
運動装置のシール領域におけるシール要素として使用可能である、請求項３に記載の摺動リングおよび／またはカウンターリング。
【請求項５】
自動車のピニオン軸領域で、特に周速２０〜３５ｍ／秒の場合に使用可能である、請求項３または４に記載の摺動リングおよび／またはカウンターリング。
【手続補正２】
【補正対象書類名】明細書
【補正対象項目名】０００８
【補正方法】変更
【補正の内容】
【０００８】
この課題は、摺動リングシールに使用可能な摺動リングおよび／またはカウンターリングを製造するための方法であって、摺動リングおよび／またはカウンターリングを熱伝導性の高いねずみ鋳鉄材料から鋳造技術によって作製し、少なくとも後でシールになる領域において機械的に加工し、続いて、それぞれのシール領域の表面をレーザ硬化にかけることによる方法によって解決される。
摺動リングシールに使用可能な摺動リングおよび／またはカウンターリング（１）を製造するための本発明にかかる方法は、熱伝導性の高いねずみ鋳鉄材料から鋳造技術により摺動リングおよび／またはカウンターリング（１）を作製し、少なくとも後でシールになる領域（４）を機械的に加工し、最後に前記それぞれのシール領域（４）の表面にレーザ硬化を施すことによる方法である。
摺動リングおよび／またはカウンターリング（１）は、下記の組成（単位は質量％）を有する、すなわち、
Ｃ      ３．４〜３．９％
Ｓｉ    ２．２〜３．２％
Ｍｎ    ０．５〜１．０％
Ｃｒ    ０．１〜０．４％
Ｖ      最大０．１５％
Ｃｕ    ０．１〜０．７％
Ｐ      ０．３〜０．６％
Ｓ      最大０．１３％
Ｆｅ    残分、および混入不可避の不純物
を組成とする、非合金（unlegierten)で、焼き入れされていず（unvergueteten)、層状グラファイト（Lamellengraphit)を含む鋳鉄から鋳造技術によって作製することができる。
本発明にかかる摺動リングシール用の摺動リングおよび／またはカウンターリングは、熱伝導性の高いねずみ鋳鉄材料からなり、その断面がほぼ角張った形で、実質上径方向平面内を延びるシール領域（４）を有する本体（１）を含み、少なくとも前記シール領域（４）がレーザ硬化された表面を具備する、摺動リングシール用の摺動リングおよび／またはカウンターリングである。
この摺動リングおよび／またはカウンターリングは、運動装置のシール領域におけるシール要素として使用可能であり、自動車のピニオン軸領域で、特に周速２０〜３５ｍ／秒の場合に使用可能である。
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
面平行な小板を生成するためのプロセスであって、：
ａ）水に溶かし得る分離剤Ｉをキャリヤー上に付着させ、分離剤層を生成する工程と、
ｂ）水に溶かし得ない分離剤ＩＩを工程ａ）の分離剤層上に蒸着させる工程と、
ｃ）少なくとも一つの生成物層を工程ｂ）の分離剤層上に蒸着させる工程と、
ｄ）水に溶かし得ない分離剤ＩＩを工程ｃ）の生成物層上に蒸着させる工程と、
ｅ）工程ａ）の分離剤層を水中に溶解させ、少なくとも一つの生成物層が、側部表面を除く上部表面および下部表面を分離剤ＩＩで覆われている面平行な小板の形態で存在する懸濁液を生成する工程と、
ｆ）工程ｂ）およびｄ）の分離剤層を溶剤中に溶解させ、少なくとも一つの層を含む生成物が面平行な小板の形態で存在する懸濁液を生成する工程と
を含むプロセス。
【請求項２】
分離剤Ｉが、アントラセン、アントラキノン、アセトアミドフェノール、アセチルサリチル酸、ショウノウ酸無水物、ベンズイミダゾール、ベンゼン−１，２，４−トリカルボン酸、ビフェニル−２，２−ジカルボン酸、ビス（４−ヒドロキシフェニル）スルホン、ジヒドロキシアントラキノン、ヒダントイン、３−ヒドロキシ安息香酸、８−ヒドロキシキノリン−５−スルホン酸一水和物、４−ヒドロキシクマリン、７−ヒドロキシクマリン、３−ヒドロキシナフタレン−２−カルボン酸、イソフタル酸、４，４−メチレン−ビス−３−ヒドロキシナフタレン−２−カルボン酸、ナフタレン−１，８−ジカルボン酸無水物、フタルイミドおよびそのカリウム塩、フェノールフタレイン、フェノチアジン、サッカリンおよびその塩、テトラフェニルメタン、トリフェニレン、トリフェニルメタノールならびにこれらの物質の少なくとも二つの混合物、特にペンタエリスリトール（Ｃ（ＣＨ２ＯＨ）４）、トリメシン酸（＝１，３，５ベンゼントリカルボン酸）、ＤＬ−アラニン、ＤＬ−バリン、２，６−ジアミノプリン、アスコルビン酸、１，３，５−ベンゼントリカルボン酸、ｏ−アセチルサリチル酸、ジフェン酸、テレフタル酸、ピロガロール、シアヌル酸、ヘキサメチルテトラミン（ウロトロピン）、フマル酸および４−アセチル安息香酸ならびにこれらの物質の少なくとも二つの混合物から選択される、請求項１記載のプロセス。
【請求項３】
分離剤ＩＩが、ポリマー、特に溶解することができる部分的に硬化したポリマー、ベンズイミダゾール、ジヒドロキシアントラキノン、４−ヒドロキシクマリン、７−ヒドロキシクマリン、アセトアミドフェノール、アントラセン、アントラキノン、ビス（４−ヒドロキシフェニル）スルホン、フェノールフタレイン、テトラフェニルメタン、トリフェニレン、トリフェニルメタノール、アダマンタンならびにアダマンタンの誘導体、たとえば１−シアノアダマンタン、１−アダマンタンカルボン酸、１−ヒドロキシアダマンタン、２−ヒドロキシアダマンタン、２−オキソアダマンタン、ジフェン酸、７−ヒドロキシクマリン、ベンゾグアナミン（２，４，６−ジアミノ−４−フェニル−１，３，５−トリアジン）、フェロセン、ショウノウおよび誘導体、アントラセン、９，１０−アントラキノンおよびピロメリット酸二無水物から選択される、請求項１または２記載のプロセス。
【請求項４】
面平行な小板が、Ａｌ、Ｃｕ、Ｍｏ、Ｖ、Ａｇ、Ｃｒ、Ｚｒ、Ｎｂ、Ｎｉ、Ｆｅ、Ｃｏ、Ｔｉ、Ａｕ、Ｐｄ、Ｗ、Ｈｆ、Ｒｈ、Ｉｒ、Ｐｔ、Ｃｄもしくはその合金である、または、０．７０≦ｙ≦１．９５のＳｉＯｙフレークである、請求項１〜３のいずれか一項記載のプロセス。
【請求項５】
分離剤ＩＩおよび生成物の複数の層を交互に付着させ、各生成物層の上部表面および下部表面を分離剤ＩＩ層で覆う、請求項１〜３のいずれか一項記載のプロセス。
【請求項６】
面平行な小板の前駆体であって、：
（Ａ１）水に溶かし得ない分離剤ＩＩからなる層と、
（Ｂ）層（Ａ１）上の少なくとも一つの生成物層と、
（Ａ２）層（Ｂ）上の分離剤ＩＩからなる層と
を含む面平行な小板の前駆体。
【請求項７】
面平行な小板を生成するための、請求項６記載の面平行な小板の前駆体の使用。
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
(i)少なくとも１種類のビスマス含有無機顔料、および
(ii)少なくとも１種類の有機リン含有安定剤
を含む着色剤組成物。
【請求項２】
少なくとも１種類のビスマス含有無機顔料が、バナジン酸ビスマス顔料またはＢｉＶＯ4を含有する混合相顔料の少なくとも１種類である、請求項１記載の着色剤組成物。
【請求項３】
少なくとも１種類の有機リン含有安定剤が、式（１）、（２）、（３）、（４）、（５）、（６）および（７）：
【化１】
2009516042.tif 000001
［式中、
指数は整数であり、
ｎは２、３または４であり；ｐは１または２であり；ｑは２または３であり；ｒは４〜１２であり；ｙは１、２または３であり；ｚは１〜６であり、
Ａ1は、ｎが２ならば、Ｃ2〜Ｃ18アルキレン；酸素、硫黄もしくは−ＮＲ4−で割り込まれたＣ2〜Ｃ12アルキレン；式
【化２】
2009516042.tif 000002
で示される基；またはフェニレンであり、
Ａ1は、ｎが３ならば、式−ＣrＨ2r-1−で示される基であり、
Ａ1は、ｎが４ならば、式
【化３】
2009516042.tif 000003
であり、
Ａ2は、ｎが２である場合のＡ1の定義どおりであり、
Ｂは、直接結合、−ＣＨ2−、−ＣＨＲ4−、−ＣＲ1Ｒ4−、硫黄、Ｃ5〜Ｃ7シクロアルキリデン、または３、４および／もしくは５位にて１〜４個のＣ1〜Ｃ4アルキル基で置換されたシクロヘキシリデンであり、
Ｄ1は、ｐが１ならば、Ｃ1〜Ｃ4アルキルであり、ｐが２ならば、−ＣＨ2ＯＣＨ2−であり、
Ｄ2は、ｐが１ならば、Ｃ1〜Ｃ4アルキルであり、
Ｅは、ｙが１ならば、Ｃ1〜Ｃ18アルキル、−ＯＲ1またはハロゲンであり、
Ｅは、ｙが２ならば、−Ｏ−Ａ2−Ｏ−であり、
Ｅは、ｙが３ならば、式Ｒ4Ｃ（ＣＨ2Ｏ−）3またはＮ（ＣＨ2ＣＨ2Ｏ−）3で示される基であり、
Ｑは、酸素原子を介してリン原子に結合された、少なくともｚ価のアルコールまたはフェノールの基であり、
Ｒ1、Ｒ2およびＲ3は、互いに独立して、非置換であるか、またはハロゲン、−ＣＯＯＲ4、−ＣＮもしくは−ＣＯＮＲ4Ｒ4で置換されたＣ1〜Ｃ18アルキル；酸素、硫黄または−ＮＲ4−で割り込まれたＣ2−Ｃ18アルキル；Ｃ7〜Ｃ9フェニルアルキル；Ｃ5〜Ｃ12シクロアルキル、フェニルまたはナフチル；ハロゲン、全部で１〜１８個の炭素原子を有する１〜３個のアルキル基もしくはアルコキシ基、またはＣ7〜Ｃ9フェニルアルキルで置換されたナフチルもしくはフェニル；あるいは式
【化４】
2009516042.tif 000004
（式中、ｍは３〜６の範囲の整数である）で示される基であり、
Ｒ4は、水素、Ｃ1〜Ｃ18アルキル、Ｃ5〜Ｃ12シクロアルキルまたはＣ7〜Ｃ9フェニルアルキルであり、
Ｒ5およびＲ6は、互いに独立して、水素、Ｃ1〜Ｃ8アルキルまたはＣ5〜Ｃ6シクロアルキルであり、
Ｒ7およびＲ8は、ｑが２ならば、互いに独立して、Ｃ1〜Ｃ4アルキルであるか、または一緒になって、２，３−デヒドロペンタメチレン基であり、
Ｒ7およびＲ8は、ｑが３ならば、メチルであり、
Ｒ14は、水素、Ｃ1〜Ｃ9アルキルまたはシクロヘキシルであり、
Ｒ15は、水素またはメチルであり、二つまたはそれ以上の基Ｒ14およびＲ15が存在するならば、これらの基は、同一であるか、または異なり、
ＸおよびＹは、それぞれ、直接結合または酸素であり、
Ｚは、直接結合、メチレン、−Ｃ（Ｒ16）2−または硫黄であり、
Ｒ16は、Ｃ1〜Ｃ8アルキルである］
からなる群から選ばれる、少なくとも１種類の有機亜リン酸塩または有機ホスホン酸塩である、請求項１記載の着色剤組成物。
【請求項４】
少なくとも１種類の有機リン含有安定剤を、少なくとも１種類のビスマス含有無機顔料の重量を基準にして１〜３００重量pph、好ましくは５〜６０重量pphの量で含有する、請求項１記載の着色剤組成物。
【請求項５】
(i)請求項１〜４のいずれか一項に記載の着色剤組成物
(ii)熱により重合可能な少なくとも１種類の熱硬化性粉末コーティング樹脂、および
(iii)少なくとも１種類の架橋結合剤
を含む熱硬化性粉末コーティング組成物。
【請求項６】
成分(ii)および(iii)の混合物が、７０〜９８重量pph、好ましくは８５〜９８重量pphのカルボキシル基含有ポリエステル、および３０〜２重量pph、好ましくは１５〜２重量pphの１種類またはそれ以上のエポキシおよび／もしくはβ−ヒドロキシアルキルアミド基含有架橋結合剤を含む、請求項５記載の熱硬化性粉末コーティング組成物。
【請求項７】
請求項５〜６のいずれか一項に記載の熱硬化性粉末コーティング組成物から得られる塗料またはワニス組成物。
【請求項８】
物品をコーティングする方法であって、請求項５〜６のいずれか一項に記載の熱硬化性粉末コーティング組成物を、静電気もしくは摩擦帯電ガンによってか、または流動床にて適用すること、およびこうして得られたコーティングを、１４０〜２５０℃の温度で加熱することを特徴とする方法。
【請求項９】
請求項８記載の方法によって全体的または部分的にコーティングされた基板。
【請求項１０】
熱により重合可能な少なくとも１種類の熱硬化性粉末コーティング樹脂、少なくとも１種類の架橋結合剤、および少なくとも１種類のビスマス含有無機顔料を含む熱硬化性粉末コーティング組成物の変色を軽減する方法であって、有機リン含有安定剤を、これらの組成物に組み込むか、または適用する段階を含む方法。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
１０〜５０重量％のエチレン及び５０〜９０重量％のプロピレンを含むプロピレン−エチレンコポリマーであって、
ｒ１・ｒ２≦１．５のコモノマー反応比の積
２，１プロピレン挿入の不存在、及び
４ＭＰａよりも大きい破断点引張強度
を特徴とするプロピレン−エチレンコポリマー。
【請求項２】
ゲル透過クロマトグラフィーにより決定した分子量分布（ＭＷＤ）が３よりも高い、請求項１に記載のプロピレン−エチレンコポリマー。
【請求項３】
Ｃ１３ＮＭＲにより決定したアイソタクチックトリアド（ｍｍ％）形態のプロピレン単位含量が９５％よりも高い、請求項１に記載のプロピレン−エチレンコポリマー。
【請求項４】
請求項１〜３のいずれかに記載のプロピレン−エチレンコポリマーを含有する物品。
【請求項５】
（Ａ）請求項１〜３のいずれかに記載のコポリマー１〜９９％、及び
（Ｂ）（Ａ）と異なるポリオレフィン１〜９９％
を含むポリオレフィン組成物。
【請求項６】
（Ａ）が５〜３５％であり、（Ｂ）が６５〜９５％の結晶性プロピレンポリマーであり、１５％までのエチレン若しくはそれよりも高級αオレフィンを含有してもよい、請求項５に記載のポリオレフィン組成物。
【請求項７】
請求項１に記載のプロピレン−エチレンコポリマーの製造法であって、不均一系ＺＮ触媒の存在下、発生期のポリマーを溶液状に維持できる液体反応媒体中で８０℃を超える温度で、エチレン及びプロピレン、並びに場合により追加のコモノマーを重合することを含む、前記プロピレン−エチレンコポリマーの製造法。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
少なくとも１．５０の屈折率を有するモノカルボン酸で表面改質された無機ナノ粒子を含む重合性樹脂組成物の反応生成物が含まれることを特徴とする輝度向上フィルム。
【請求項２】
請求項１の輝度向上フィルムであって、表面処理が芳香族基を含むことを特徴とする輝度向上フィルム。
【請求項３】
請求項２の輝度向上フィルムであって、表面処理がフタレート基を含むことを特徴とする輝度向上フィルム。
【請求項４】
請求項１の輝度向上フィルムであって、表面処理が少なくとも１つのポリエーテルモノカルボン酸をさらに含むことを特徴とする輝度向上フィルム。
【請求項５】
請求項１の輝度向上フィルムであって、無機ナノ粒子の量が４０質量％〜６０質量％の範囲であることを特徴とする輝度向上フィルム。
【請求項６】
請求項１の輝度向上フィルムであって、前記無機ナノ粒子がジルコニア、チタニア、およびこれらの混合物から成る群から選択されることを特徴とする輝度向上フィルム。
【請求項７】
ｉ）少なくとも１．５０の屈折率を有する、少なくとも１つのモノカルボン酸；
ｉｉ）重合性樹脂と共重合する、少なくとも２００ｇ／モルのＭｎを有する、少なくとも１つのモノカルボン酸；
ｉｉｉ）少なくとも１つのジカルボン酸；
およびｉ）、ｉｉ）、ｉｉｉ）の２つ又はそれ以上の混合物から選択される少なくとも１つの表面処理と組み合わせて、少なくとも１つの極性基含有モノカルボン酸相溶剤を用いて表面改質された無機ナノ粒子を含む重合性樹脂組成物の反応生成物を含むことを特徴とする光学物品。
【請求項８】
ｉ）少なくとも１．５０の屈折率を有する、少なくとも１つのモノカルボン酸；
ｉｉ）少なくとも２００ｇ／モルのＭｎおよびエチレン性不飽和基を有する少なくとも１つのモノカルボン酸；ならびに
ｉｉｉ）少なくとも１つのジカルボン酸から選択される少なくとも１つの表面処理と組み合わせて、少なくとも１つの極性基含有モノカルボン酸を含む表面処理を備えることを特徴とする無機ナノ粒子。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
Ｓｅｃｕｒｅ  Ｒｅｍｏｖａｂｌｅ  Ｍｅｄｉａ（ＳＲＭ）の権利対象を管理する方法であって、
権利発行サーバからトリガメッセージを受信することと、
該トリガメッセージに含まれる該ＳＲＭのＩＤをチェックすることと、
該ＳＲＭに対する権利対象を要求するためのメッセージを生成することと、
該生成された要求メッセージを含むシグネチャを該ＳＲＭに転送することと、
該ＳＲＭのシグネチャを含むシグネチャ応答を該ＳＲＭから受信することと、
該権利発行サーバに、該ＳＲＭの該受信されたシグネチャを含む該要求メッセージを転送することと、
該権利発行サーバから、該ＳＲＭのＩＤと該ＳＲＭに対する権利対象とを含む応答メッセージを受信することと、
該応答メッセージに含まれるシグネチャを確認することと、
該確認の後で、該ＳＲＭに対する該権利対象を、該ＳＲＭに転送することと
を包含する、方法。
【請求項２】
前記ＳＲＭの前記ＩＤおよび該ＳＲＭに対する前記権利対象は、該ＳＲＭのパブリックキーによって暗号化される、請求項１に記載の方法。
【請求項３】
前記トリガメッセージは、ＲＯＡＰトリガメッセージである、請求項１に記載の方法。
【請求項４】
前記要求メッセージは、ＲＯ要求メッセージであり、前記応答メッセージは、ＲＯ応答メッセージである、請求項１に記載の方法。
【請求項５】
前記チェックするステップは、
前記トリガメッセージに含まれる前記ＳＲＭの前記ＩＤが、該ＳＲＭがチェックされているか否かを示す、請求項１に記載の方法。
【請求項６】
前記応答メッセージに含まれる前記権利対象を、前記ＳＲＭによって解析されるフォーマットに変換することをさらに包含する、請求項１に記載の方法。
【請求項７】
Ｓｅｃｕｒｅ  Ｒｅｍｏｖａｂｌｅ  Ｍｅｄｉａ（ＳＲＭ）の権利対象を管理する端末であって、
権利対象を管理するデジタル権利管理（ＤＲＭ）エージェントを備え、
該ＤＥＭエージェントは、
権利発行サーバからトリガメッセージを受信するステップと、
該トリガメッセージに含まれる該ＳＲＭのＩＤをチェックするステップと、
該ＳＲＭに対する権利対象を要求するためのメッセージを生成するステップと、
該生成された要求メッセージを含むシグネチャを該ＳＲＭに転送するステップと、
該ＳＲＭのシグネチャを含むシグネチャ応答を該ＳＲＭから受信するステップと、
該権利発行サーバに、該ＳＲＭの該受信されたシグネチャを含む該要求メッセージを転送するステップと、
該権利発行サーバから、該ＳＲＭのＩＤと該ＳＲＭに対する権利対象とを含む応答メッセージを受信するステップと、
該応答メッセージに含まれるシグネチャを確認するステップと、
該確認の後で、該ＳＲＭに対する該権利対象を、該ＳＲＭに転送するステップと
を行う、端末。
【請求項８】
前記ＳＲＭの前記ＩＤおよび該ＳＲＭに対する前記権利対象は、該ＳＲＭのパブリックキーによって暗号化される、請求項７に記載の端末。
【請求項９】
前記トリガメッセージは、ＲＯＡＰトリガメッセージである、請求項７に記載の端末。
【請求項１０】
前記要求メッセージは、ＲＯ要求メッセージであり、前記応答メッセージは、ＲＯ応答メッセージである、請求項７に記載の端末。
【請求項１１】
前記チェックするステップは、
前記トリガメッセージに含まれる前記ＳＲＭの前記ＩＤが、該ＳＲＭがチェックされているか否かを示す、請求項７に記載の端末。
【請求項１２】
前記ＤＲＭエージェントは、前記応答メッセージに含まれる前記権利対象を、前記ＳＲＭによって解析されるフォーマットに変換するステップをさらに行う、請求項７に記載の端末。
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
デクスパンテノール、キシリトール及びムチン様材料を含むレンズケア水溶液であって、ムチン様材料がポリグリコール酸、ポリラクチド、コラーゲン及びゼラチンからなる群から選択される、レンズケア水溶液。
【請求項２】
溶液中のデクスパンテノールの量が０．２〜１０重量％である、請求項１記載の溶液。
【請求項３】
溶液中のデクスパンテノールの量が０．５〜５重量％である、請求項１記載の溶液。
【請求項４】
キシリトールの量が０．４〜１０重量％である、請求項２記載の溶液。
【請求項５】
キシリトールの量が１．５〜３．５重量％である、請求項２記載の溶液。
【請求項６】
さらに、緩衝剤、界面活性剤、潤滑剤、粘度上昇剤、錯生成剤、抗菌剤、およびこれらの混合物よりなる群から選択される成分１種以上を含む、請求項４記載の溶液。
【請求項７】
溶液が式（Ｉ）：
【化１】
2009516217.tif 000001
（式中、ａ、ｂ、ｃ、ｄ、ｅ、ｆ、ｇ、およびｈは、独立して、１〜６の整数であり；ＲおよびＲ’は、独立して、−Ｈ、−ＣＨ3、−（ＣＨ2）2-6−Ｈ、および−（ＣＨ2）1-6−ＯＨよりなる群から選択される）の緩衝剤を含む、請求項６記載の溶液。
【請求項８】
緩衝剤が１，３−ビス（トリス［ヒドロキシメチル］メチル−アミノ）プロパンである、請求項７記載の溶液。
【請求項９】
溶液がビグアニドまたはビグアニドポリマーを含む、請求項６記載の溶液。
【請求項１０】
ビグアニドまたはビグアニドポリマーがヘキサメチレンビグアニドポリマー（ＰＨＭＢ）である、請求項９記載の溶液。
【請求項１１】
さらにエチレンジアミン四酢酸（ＥＤＴＡ）および／またはその塩を含む、請求項１０記載の溶液。
【請求項１２】
（ａ）デクスパンテノール０．５〜５重量％；
（ｂ）キシリトール１〜５重量％；
（ｃ）粘度上昇剤０．０５〜３％；
（ｄ）ビス−トリス−プロパン０．００１〜２重量％
（ｅ）ＰＨＭＢ２ppm未満
（ｆ）非イオン界面活性剤０．００５〜１重量％
（ｇ）ＥＤＴＡ０．３重量％未満；
（ｈ）塩素イオン１０００ppm未満；並びに
（ｉ）ポリグリコール酸、ポリラクチド、コラーゲン及びゼラチンからなる群から選択されるムチン様材料の有効量、
を含む水溶液であるコンタクトレンズ多目的溶液であって、該溶液の張度が２００〜４５０mOsm/kg、ｐＨが６〜８である、コンタクトレンズ多目的溶液。
【請求項１３】
粘度上昇剤が、溶液に粘度５〜２５センチポアズを付与するのに十分な量で溶液中に含まれる、請求項１２記載の溶液。
【請求項１４】
粘度上昇剤が、セルロースエーテル、ポリビニルアルコール、ポリビニルピロリドン、またはこれらの混合物を含む、請求項１３記載の溶液。
【請求項１５】
粘度上昇剤が、メチルセルロース（ＭＣ）、エチルセルロース、ヒドロキシメチルセルロース、ヒドロキシエチルセルロース（ＨＥＣ）、ヒドロキシプロピルセルロース、ヒドロキシプロピルメチルセルロース（ＨＰＭＣ）、またはこれらの混合物である、請求項１３記載の溶液。
【請求項１６】
非イオン界面活性剤が、プロピレンオキシドおよびエチレンオキシドのブロックコポリマーからなるノニオン界面活性剤を含む、請求項１３記載の溶液。
【請求項１７】
非イオン界面活性剤がポロキサマーを含む、請求項１３記載の溶液。
【請求項１８】
（ａ）デクスパンテノール１〜２重量％；
（ｂ）キシリトール１．５〜３．５重量％；
（ｃ）セルロースエーテル、溶液に粘度５〜２５センチポアズを付与するのに十分な量；
（ｄ）ビス−トリス-プロパン０．０５〜０．３０重量％；
（ｅ）ＰＨＭＢ１．５ppm未満；
（ｆ）１種以上のポロキサマー０．０５〜０．６重量％；
（ｇ）ＥＤＴＡ０．２重量％未満；
（ｈ）塩素イオン１０００ppm未満；並びに
（ｉ）ポリグリコール酸、ポリラクチド、コラーゲン及びゼラチンからなる群から選択されるムチン様材料の有効量、
を含む水溶液であるコンタクトレンズ多目的溶液であって、該溶液の張度が２００〜４５０mOsm/kg、ｐＨが６〜８である、コンタクトレンズ多目的溶液。
【請求項１９】
溶液がＰＨＭＢ０．５〜１．２ppmを含む、請求項１８記載の溶液。
【請求項２０】
溶液がポロキサマー１種以上を０．２５重量％未満で含む、請求項１８記載の溶液。
【請求項２１】
コンタクトレンズを洗浄および／または消毒するための、レンズケア溶液が入ったボトルを含むキットであって、該レンズケア溶液がコンタクトレンズと、それらを洗浄および／または消毒するのに十分に長い期間接触するコンテナに、該レンズケア溶液を該ボトルから供給でき、該レンズケア溶液がデクスパンテノール、キシリトール、並びにポリグリコール酸、ポリラクチド、コラーゲン及びゼラチンから選択されるムチン様材料を含むキット。
【請求項２２】
コンタクトレンズを眼の中で直接に洗浄および潤滑するための、レンズケア溶液が入ったボトルを含むキットであって、該レンズケア溶液が、コンタクトレンズを装着している眼に直接に適用でき、該レンズケア溶液が、デクスパンテノールと、キシリトールと、ポリグリコール酸、ポリラクチド、コラーゲン及びゼラチンから選択されるムチン様材料と、レンズケア溶液に粘度５センチポアズ〜２５センチポアズを付与するのに十分な量の粘度上昇剤とを含むキット。
【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
−  モノマー（ａ）が、エチレン性不飽和イオン性又は潜在的にイオン性のモノマーであり、モノマー（ｂ）が、エチレン性不飽和疎水性モノマーである、少なくとも２つのモノマー（ａ）及び（ｂ）から誘導される反復単位を含むコポリマー（Ｉ）からなる、架橋されているか又は架橋されていない、ポリマーマトリックスと；
−  エチレン性不飽和疎水性モノマー（ｃ）及び場合により他のモノマー（ｄ）から誘導される反復単位を含み、ポリマーマトリックスのコポリマー（Ｉ）と異なる、前記ポリマーマトリックスの全体にわたって分布している疎水性ポリマー（ＩＩ）の第２粒子と；
−  着色ポリマー電子写真トナー粒子の重量に基づいて、好ましくは０．１重量％〜２０重量％の量の着色剤と；
−  場合により電荷制御剤と
を含む、着色ポリマー電子写真トナー粒子。
【請求項２】
モノマー（ａ）が、対イオンの塩であり、対イオンが、揮発性塩基の共役酸又は揮発性酸の共役塩基であり、
ポリマーマトリックスが、遊離酸又は遊離塩基形態である反復単位を含み、
コポリマー（Ｉ）が、３０〜１００℃、好ましくは５０〜８０℃のガラス転移温度を有する、請求項１記載の着色ポリマー電子写真トナー粒子。
【請求項３】
０．１〜２０μm、好ましくは０．８〜９．９μm、最も好ましくは３〜７μmの平均粒子直径を有する、請求項１又は２記載の着色ポリマー電子写真トナー粒子。
【請求項４】
−  モノマー（ａ）が、エチレン性不飽和イオン性又は潜在的にイオン性のモノマーであり、モノマー（ｂ）が、エチレン性不飽和疎水性モノマーである、少なくとも２つのモノマー（ａ）及び（ｂ）から誘導される反復単位を含むコポリマー（Ｉ）からなる、架橋されているか又は架橋されていない、ポリマーマトリックスと；
−  エチレン性不飽和疎水性モノマー（ｃ）及び場合により他のモノマー（ｄ）から誘導される反復単位を含み、ポリマーマトリックスのコポリマー（Ｉ）と異なる、前記ポリマーマトリックスの全体にわたって分布している疎水性ポリマー（ＩＩ）の第２粒子と；
−  着色ポリマー電子写真トナー粒子の重量に基づいて、好ましくは０．１重量％〜２０重量％の量の着色剤と；
−  場合により電荷制御剤及び／又は更なる成分若しくは更なる成分の混合物と
を含む、着色ポリマー電子写真トナー粒子の調製方法であって、
（Ａ）前記コポリマー（Ｉ）を好ましくは塩の形態で含む水相を提供する工程；
（Ｂ）前記水相中に第２粒子を形成する工程又は前記水相の外部で第２粒子を予備形成し、それを前記水相と組み合わせる工程；
（Ｃ）着色剤と任意の電荷制御剤及び／又は更なる成分を、工程（Ａ）又は（Ｂ）の前、間又は後のいずれかの段階で水相に溶解又は分散する工程；
（Ｄ）工程（Ａ）、（Ｂ）及び（Ｃ）の水相から実質的になる油中水エマルションを形成する工程であって、したがって、好ましくは両親媒性ポリマー安定剤を含む水不混和性液相中に、コポリマー（Ｉ）、第２粒子、着色剤、並びに任意の電荷制御剤及び／又は更なる成分を含む油中水エマルションを形成する工程；
（Ｅ）前記エマルションから水を除去し、それによって中実（solid）着色ポリマー電子写真トナー粒子を含む油分散体を形成する工程であって、そのポリマーマトリックスが、全体に分散している、第２粒子、着色剤、並びに任意の電荷制御剤及び／又は更なる成分を含む工程；
（Ｆ）場合により、前記着色ポリマー電子写真トナー粒子を単離、洗浄及び／又は乾燥する工程
を含む方法。
【請求項５】
電子写真トナーとしての請求項１〜３のいずれか１項記載の着色ポリマー電子写真トナー粒子の使用。
【請求項６】
粉末被覆方法における請求項１〜３のいずれか１項記載の着色ポリマー電子写真トナー粒子の使用。
【請求項７】
請求項１〜３のいずれか１項記載の着色ポリマー電子写真トナー粒子を含む２成分電子写真顕色剤。
【請求項８】
請求項１〜３のいずれか１項記載の着色ポリマー電子写真トナー粒子の彩色活性量を含む粉末被覆組成物。
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
方向移動入力及び方向押圧入力可能に設けられた入力手段と、
前記方向移動入力を感知する移動入力感知部と、
前記方向押圧入力を感知する押圧入力感知部と、
前記移動入力感知部及び押圧入力感知部の感知結果に基づいて、これに対応する文字をメモリ部から抽出して実行する制御部を含み、
前記方向移動入力と前記方向押圧入力は、それぞれ独立して遂行され、前記方向移動入力と前記方向押圧入力のいずれか一つが遂行され、あるいは前記入力手段がもとの位置に戻る前に別の一つによって遂行される状態では同時に遂行されることを特徴とする文字入力装置。
【請求項２】
前記方向移動入力は、前記入力手段が基準位置を中心として放射方向に移動され、遂行され、前記入力手段が前記基準位置を中心として円周方向にも移動され、前記入力手段がスライディングされながら遂行されることを特徴とする請求項１に記載の文字入力装置。
【請求項３】
前記方向移動入力は多段入力が可能であることを特徴とする請求項２に記載の文字入力装置。
【請求項４】
前記入力手段は上下に昇降可能で、入力手段を上昇させた後、前記方向移動入力及び方向押圧入力を遂行するように設けられることを特徴とする請求項１に記載の文字入力装置。
【請求項５】
前記各移動入力感知部が位置した方向に前記入力手段の移動方向を案内するガイド部をさらに含むことを特徴とする請求項１に記載の文字入力装置。
【請求項６】
前記ガイド部は、前記入力手段が前記基準位置から前記各放射方向に移動されることをガイドする複数の直線ガイドを含むことを特徴とする請求項５に記載の文字入力装置。
【請求項７】
前記各直線ガイドは、前記入力手段が移動可能に受容される溝形状で設けられ、かつ前記各基準位置側の端部は前記基準位置に向かって下り傾斜をなすことを特徴とする請求項６に記載の文字入力装置。
【請求項８】
前記ガイド部は、前記入力手段の方向移動時、クリック感を発生させるクリック手段をさらに含むことを特徴とする請求項５に記載の文字入力装置。
【請求項９】
前記ガイド部が前記入力手段の移動方向を案内する円形ガイドをさらに含み、かつ前記入力手段と前記円形ガイドとの間に設けられて、前記方向移動入力が多段で遂行される場合、前記各方向移動入力に対して互いに異なる抵抗力を提供する１つ以上の弾性部材をさらに含むことを特徴とする請求項５に記載の文字入力装置。
【請求項１０】
前記入力手段が前記円周方向に移動した後、基準位置に戻りながら複数個の移動入力感知部に感知されると、前記制御部は前記複数の感知結果のうち、最終の感知結果に対応する入力命令を遂行することを特徴とする請求項２に記載の文字入力装置。
【請求項１１】
前記基準位置には前記入力手段が前記基準位置に位置していることを感知する基準位置感知部をさらに含むことを特徴とする請求項２に記載の文字入力装置。
【請求項１２】
前記方向押圧入力は、前記入力手段の上段部材が放射方向に向けて傾きながら入力され、または、前記方向押出入力は、前記入力手段の各放射方向に対応して設けられた押圧部を選択することにより入力されることを特徴とする請求項２乃至５のうち、いずれか１項に記載の文字入力装置。
【請求項１３】
前記入力手段に中央入力が可能であることを特徴とする請求項２に記載の文字入力装置。
【請求項１４】
前記中央入力は、前記入力手段の中央部に設けられて上下移動可能に設けられた中央入力キーと、前記中央入力キーの移動を感知する中央入力キー感知部により遂行されることを特徴とする請求項１３に記載の文字入力装置。
【請求項１５】
前記中央入力は、多段入力可能に設けられることを特徴とする請求項１３に記載の文字入力装置。
【請求項１６】
前記中央入力が前記方向移動入力、または前記方向押圧入力とともに遂行される場合、各方向移動入力または方向押圧入力に割り当てられたものとは異なる文字が入力されることを特徴とする請求項２９に記載の文字入力装置。
【請求項１７】
前記入力手段は、自体が回転可能に設けられることを特徴とする請求項２に記載の文字入力装置。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
複数の電極を有するタッチセンス領域に対する物体の位置に基づく属性を検出する方法であって、
前記物体の位置によって電気的に影響された結果信号を得るために、前記複数の電極の関連する少なくとも１つに印加される、複数の別個のデジタル符号に基づく複数の変調信号を印加するステップと、
前記複数の別個のデジタル符号を使用して前記結果信号を復調し、前記物体によって引き起こされた電気的効果を選別するステップと、
前記電気的効果から、前記複数の電極に対する前記物体の前記位置に基づく属性を決定するステップとを含む方法。
【請求項２】
少なくとも一つのシフトレジスタを用いて前記複数の別個のデジタル符号のそれぞれを生成するステップを更に含む、請求項１に記載の方法。
【請求項３】
前記印加するステップは前記複数の電極のうちの少なくとも二つに実質的に同時に変調信号を印加するステップを含む、請求項１または２記載の方法。
【請求項４】
前記復調するステップは、前記複数の電極のうちの少なくとも２つからの信号を共通の信号経路で結果信号として受信するステップを含む、請求項１、２または３に記載の方法。
【請求項５】
複数の相補的検出信号を得るために、前記複数の電極の関連する少なくとも１つに印加される、前記複数の別個のディジタル符号の補数に基づく複数の相補的変調信号を印加するステップと、
前記複数の電極のうちの少なくとも一つに関連する前記別個のデジタル符号を用いて前記複数の相補的検出信号のそれぞれを復号し、前記複数の電極から相補的電気的効果を特定するステップと、
前記電気的効果と前記相補的電気的効果とを比較することによって二重差動変換を実行するステップとをさらに含む、請求項１乃至４いずれか１項記載の方法。
【請求項６】
前記印加するステップはキャリア信号を前記複数の別個のデジタル符号のそれぞれで振幅変調するステップをさらに含む、請求項１乃至５いずれか１項に記載の方法。
【請求項７】
物体の位置に基づく属性を検出するための容量検出装置において、
前記物体の近接度に影響されるように構成された電気的特性を有し、第１方向を持つ第１電極と、前記第１方向とは異なる第２方向を持つ第２電極とを有する複数の電極と、
前記複数の電極の各電極と関連する回路と、
前記複数の電極に関連する復調器と、
前記回路および前記復調器に結合されたプロセッサとを備え、
前記プロセッサは、複数の別個の相互に直交するディジタル符号の関数としての複数の変調信号を生成させ、前記回路を介して前記複数の電極へ前記複数の変調信号をそれぞれ印加させ、前記物体によって前記複数の電極のうちの少なくとも１つの電極に引き起こされた電気的効果を選別するために、前記デジタル符号を使用して前記複数の電極から受信した検知信号を復調し、前記電気的効果から、前記複数の電極に対する前記物体の前記位置に基づく属性を決定するように構成されている、装置。
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
工業用プロセスに結合して、プロセス変数を測定するためのトランスミッタであって、
内部に形成されたキャビティを有し、プロセス変数を測定するように構成された測定回路を保持するトランスミッタ用筐体と、
工業用プロセスにキャビティを結合させるように構成されたプロセス結合部と、
トランスミッタ用筐体の外に、第一のキャビティ内の過剰圧力を逃がすように配置された過剰圧力ベントと、
を含むトランスミッタ。
【請求項２】
キャビティを、第一のキャビティと第二のキャビティとに分割して、それらの間にシールを形成するように位置付けられたキャビティ内の隔壁を含む、請求項１記載の装置。
【請求項３】
測定回路が、第二のキャビティ内に保持される、請求項２記載の装置。
【請求項４】
隔壁が、測定回路を保持する、請求項２記載の装置。
【請求項５】
第一のキャビティ内の圧力センサを含む、請求項２記載の装置。
【請求項６】
測定回路が、２線式プロセス制御ループに結合するように構成される、請求項１記載の装置。
【請求項７】
トランスミッタの回路が、２線式プロセス制御ループを通じて受電された電力で完全に電力供給される、請求項６記載の装置。
【請求項８】
圧力センサと、過剰圧力ベントへのベント接続部とを含む、請求項１記載の装置。
【請求項９】
過剰圧力ベントが、トランスミッタ用筐体を通して延び、それらの間に耐火シールを含む、請求項１記載の装置。
【請求項１０】
過剰圧力ベントが、キャビティ内の過剰圧力に応じて変形し、キャビティと、トランスミッタ用筐体の外側との間に逃がし通路を提供するように構成された変形部材を含む、請求項１記載の装置。
【請求項１１】
過剰圧力ベントが、過剰圧力ベントの状態を感知するように構成されたセンサを含む、請求項１記載の装置。
【請求項１２】
測定回路が、過剰圧力センサに結合され、感知された過剰圧力状態に応じて出力を供給するように構成される、請求項１１記載の装置。
【請求項１３】
過剰圧力ベントが、第一のキャビティ内の過剰圧力を逃がすように配置される、請求項２記載の装置。
【請求項１４】
プロセス変数を測定するように構成されたタイプの工業用プロセス測定トランスミッタ内の過剰圧力を制御する方法であって、
内部に形成されたキャビティを有し、プロセス変数を測定するように構成された測定回路を保持するトランスミッタ用筐体を備えることと、
工業用プロセスにキャビティを結合させることと、
トランスミッタ用筐体の外に、キャビティ内の過剰圧力を逃がすことと、
を含む方法。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
第１の表面と、前記第１の表面と反対側に位置するフェーセット付きの第２の表面と、光を受け入れる少なくとも１つの表面とを備えた導波板を有する光視準デバイスであって、前記第２の表面が、複数個の互いに平行な本質的に平面状の部分及び前記互いに平行な平面状部分を互いに連結する複数個のフェーセットを有する、光視準デバイスにおいて、
各前記フェーセットは、前記互いに平行な平面状部分に対して非直角の角度をなして形成され、
前記光視準デバイスは、複数個の視準屈折素子を更に有し、各前記視準屈折素子は、複数個のフェーセットのうちの別々のものにそれぞれ対応し、各前記視準屈折素子は、対応の前記フェーセットで反射されて導波板から取り出されている少なくとも光の主要部分のビーム経路中に配置され、
前記視準屈折素子が、前記導波板より低い屈折率を有する材料から作られ、または、
前記導波板より低い屈折率を有する材料が、前記導波板と前記視準屈折素子との間に配置されている、
ことを特徴とする光視準デバイス。
【請求項２】
前記フェーセットが前記第２の表面の前記互いに平行な平面状部分に対してなす前記角度は、１５°〜７５°であり、前記レンズは、前記光視準デバイスの第１の表面側に設けられている、
請求項１記載の光視準デバイス。
【請求項３】
前記フェーセットが前記第２の表面の前記互いに平行な平面状部分に対してなす前記角度は、１０５°〜１６５°であり、前記レンズは、前記光視準デバイスの第２の表面側に設けられている、
請求項１記載の光視準デバイス。
【請求項４】
前記視準屈折素子は、１つのレンズ、複数個のレンズ、１つのフレネルレンズ、複数個のフレネルレンズ、１つのホログラフィー素子、及び複数個のホログラフィー素子から成る群から選択される、
請求項１ないし３のいずれか１項に記載の光視準デバイス。
【請求項５】
屈折素子の焦点距離と前記屈折素子の光学中心から対応関係にある前記フェーセットまでの距離の比は、１．２：１〜１：１．２である、
請求項１ないし４のいずれか１項に記載の光視準デバイス。
【請求項６】
屈折素子の焦点面は、前記対応のフェーセットと交差する、
請求項１ないし５のいずれか１項に記載の光視準デバイス。
【請求項７】
前記導波板は、各々が第１の表面及びこれと反対側の第２の表面を備えた複数個の互いに重なり合った層を有し、各前記層の前記第２の表面は、少なくとも１つの平面状部分及び前記平面状部分に対して非直角の角度をなして形成された少なくとも１つのフェーセットを有する、
請求項１ないし６のいずれか１項に記載の光視準デバイス。
【請求項８】
前記フェーセットは、反射膜を備えている、
請求項１ないし７のいずれか１項に記載の光視準デバイス。
【請求項９】
光を受け入れる前記表面と前記導波板の前記フェーセットとの間で光路中に配置された光視準部分を有する、
請求項１ないし８のいずれか１項に記載の光視準デバイス。
【請求項１０】
前記複数個の屈折素子を介して前記視準デバイスから出る光の視準角度は、少なくとも一寸法方向に５°未満、好ましくは３°未満、より好ましくは１．５°未満であり、前記光は、光を受け入れる前記表面を介して受け入れられる、
請求項１ないし９のいずれか１項に記載の光視準デバイス。
【請求項１１】
前記導波板は、前記導波板の前記平板状部分に本質的に垂直な対称軸線を有する、
請求項１ないし１０のいずれか１項に記載の光視準デバイス。
【請求項１２】
光を受け入れる前記表面は、前記対称軸線に関して対称である、
請求項１１に記載の光視準デバイス。
【請求項１３】
前記導波板は、前記対称軸線に関して回転対称である、  
請求項１１又は１２に記載の光視準デバイス。
【請求項１４】
前記屈折素子は、前記導波板の屈折率よりも小さな屈折率を有する材料によって前記導波板上に配置されている、
請求項１ないし１３のいずれか１項に記載の光視準デバイス。
【請求項１５】
光を受け入れる前記表面及び（又は）前記屈折素子の前記表面は、反射防止膜を備えている、
請求項１ないし１４のいずれか１項に記載の光視準デバイス。
【請求項１６】
請求項１ないし１５のいずれか１項に記載の第１及び第２の光視準デバイスから成る光視準デバイスであって、前記第２の光視準デバイス中の光を受け入れる前記表面は、前記第１の光視準デバイスの前記屈折素子を介して前記第１の光視準デバイスから出た光を受け入れるよう配置されている、光視準デバイス。
【請求項１７】
光源と、前記光源により放出された光を受け入れるよう配置された請求項１ないし１６のいずれか１項に記載の光視準デバイスとを有する光放出デバイス。
【請求項１８】
折り畳み式鏡が、前記光源と光を受け入れる前記表面との間に配置されている、
請求項１７記載の光放出デバイス。
【請求項１９】
請求項１ないし１６のいずれか１項に記載の少なくとも１つの光視準デバイス又は請求項１７又は請求項１８記載の少なくとも１つの光放出デバイスを有するディスプレイ装置。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
デバイス上でレンダリングされるコンテンツを受信するように適応されるスプーラと、
前記デバイス上でレンダリングする前記コンテンツを変換するように適応されるフィルタと
を備え、
前記フィルタは、第一の方向では、前記スプーラと関連付けられたフォーマットのコンテンツをデバイスと関連付けられたフォーマットに変換し、第二の方向では、デバイスと関連付けられたフォーマットのコンテンツを前記スプーラと関連付けられたフォーマットに変換する、コンテンツに対する双方向のデータフローを処理する構成モジュールの一部であることを特徴とするシステム。
【請求項２】
前記スプーラの出力をストアするように適応されたスプールファイルをさらに備え、
前記フィルタは、前記スプールファイルからの入力を受信するように適応されることを特徴とする請求項１に記載のシステム。
【請求項３】
前記フィルタは、ローカルプリントサブシステムを使用してレンダリングを実行するように適応されることを特徴とする請求項１に記載のシステム。
【請求項４】
前記フィルタは、サードパーティサービスを使用してレンダリングを実行するように適応されることを特徴とする請求項１に記載のシステム。
【請求項５】
前記フィルタは、所定のジョブと関連付けられたスプールファイルで特定される前記デバイスの少なくとも１つのセッティングに基づき少なくとも１つの所定のジョブのためにレンダリングを変更するように適応されることを特徴とする請求項１に記載のシステム。
【請求項６】
前記フィルタは、前記デバイスにより直接翻訳可能である出力を生成するように適応されることを特徴とする請求項１に記載のシステム。
【請求項７】
デバイス上でレンダリングされるコンテンツを受信するように適応されるスプーラと、
前記デバイス上でレンダリングする前記コンテンツを変換するように適応されるフィルタのパイプラインと
を備え、
前記フィルタのパイプラインは、第一の方向では、前記スプーラと関連付けられたフォーマットのコンテンツをデバイスと関連付けられたフォーマットに変換し、第二の方向では、デバイスと関連付けられたフォーマットのコンテンツを前記スプーラと関連付けられたフォーマットに変換する、コンテンツに対する双方向のデータフローを処理するように構成可能であることを特徴とするシステム。
【請求項８】
前記フィルタのパイプラインは、プリレンダリングフィルタと、少なくとも１つのレンダリングフィルタと、ポストレンダリングフィルタとを具備することを特徴とする請求項７に記載のシステム。
【請求項９】
前記スプーラの出力をストアするように適応されたスプールファイルをさらに備え、
前記フィルタのパイプラインの第１のフィルタは、前記スプールファイルから入力を受信するように適応されることを特徴とする請求項７に記載のシステム。
【請求項１０】
前記フィルタのパイプラインの少なくとも１つのフィルタは、所定のジョブと関連付けられたスプールファイルで特定される前記デバイスの少なくとも１つのセッティングに基づき少なくとも１つの所定のジョブのためにレンダリングを変更するように適応されることを特徴とする請求項７に記載のシステム。
【請求項１１】
前記フィルタのパイプラインの最後のフィルタは、前記デバイスにより直接翻訳可能である出力を生成するように適応されることを特徴とする請求項７に記載のシステム。
【請求項１２】
デバイス上でレンダリングされるコンテンツを受信するステップと、
前記デバイス上でレンダリングするコンテンツを変換するように適応される少なくとも１つのフィルタにコンテンツをルーティングするステップと
を備え、
前記少なくとも１つのフィルタは、第一の方向では、スプーラと関連付けられたフォーマットのコンテンツをデバイスと関連付けられたフォーマットに変換し、第二の方向では、デバイスと関連付けられたフォーマットのコンテンツをスプーラと関連付けられたフォーマットに変換する、コンテンツに対する双方向のデータフローを処理する構成モジュールの一部であることを特徴とする方法。
【請求項１３】
要求を受信するステップは、プリンタ上で前記コンテンツをプリントするための要求を受信するステップを具備することを特徴とする請求項１２に記載の方法。
【請求項１４】
前記コンテンツをルーティングするステップは、前記デバイス上で前記コンテンツをレンダリングするように適応されるフィルタのパイプラインに前記コンテンツをルーティングするステップを具備することを特徴とする請求項１２に記載の方法。
【請求項１５】
前記デバイスによりスプールファイルフォーマットから翻訳可能なフォーマットに前記コンテンツを変換するステップを更に備えることを特徴とする請求項１２に記載の方法。